(57)【特許請求の範囲】
【請求項１】
気液二相流を下方から上方に向かって導くスタンドパイプと、該スタンドパイプの上側端面に連通して流路を形成し、前記上側端面の流路断面積よりも上方に向けて流路断面積を拡大するディフューザと、該ディフューザの上側端面に連通して流路を形成する第一段内筒と、該第一段内筒を同心円状に間隔を空けて囲んで環状の流路を形成する第一段外筒と、該第一段外筒の上側端面の内周縁を塞ぐと共に前記第一段内筒よりも小径の円形孔を形成した第一段環状板と、該第一段環状板の前記円形孔を形成している内周縁から下方に向けて円筒状に起立させて前記円形孔を第二段内筒への流路として形成する第一段ピックオフリングと、前記第一段環状板上に設置され流路を形成する前記第二段内筒と、該第二段内筒を同心円状に間隔を空けて囲んで環状の第二段排出流路を形成する第二段外筒と、該第二段外筒の上側端面の内周縁を塞ぐと共に前記第二段内筒よりも小径の円形孔を形成した第二段環状板と、前記第二段環状板上に設置され流路を形成する第三段内筒と、前記第二段環状板の前記円形孔を形成している内周縁から下方に向けて円筒状に起立させて前記円形孔を前記第三段内筒への流路として形成する第二段ピックオフリングとを少なくとも備え、気液二相流の流路の軸中心を通るハブ及び前記ハブを中心にして放射状に取り付ける複数の旋回羽根を含み、前記旋回羽根の径方向に内側縁が前記ハブに固定されており、前記ディフューザの内壁又は前記第一段内筒の内壁に前記旋回羽根の径方向に外側縁が固定されているスワラを備えた気水分離器において、
前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第二段蒸気排出日の縁に沿って前記第二段排出流路へ突出した突起物が設けられ、該突起物の先端が前記第二段蒸気排出口の流路を塞がない方向に折り曲げられて前記第二段外筒との間で溝状の流路である突起溝が形成されていることを特徴とする気水分離器。
【請求項２】
気液二相流を下方から上方に向かつて導くスタンドパイプと、該スタンドバイプの上側端面に連通して流路を形成し、前記上側端面の流路断面積よりも上方に向けて流路断面積を拡大するディフューザと、該ディフューザの上側端面に連通して流路を形成する第一段内筒と、該第一段内筒を同心円状に間隔を空けて囲んで環状の流路を形成する第一段外筒と、該第一段外筒の上側端面の内周縁を塞ぐと共に前記第一段内筒よりも小径の円形孔を形成した第一段環状板と、該第一段環状板の前記円形孔を形成している内周縁から下方に向けて円筒状に起立させて前記円形孔を第二段内筒への流路として形成する第一段ピックオフリングと、前記第一段環状板上に設置され流路を形成する前記第二段内筒と、該第二段内筒を同心円状に間隔を空けて囲んで環状の第二段排出流路を形成する第二段外筒と、該第二段外筒の上側端面の内周縁を塞ぐと共に前記第二段内筒よりも小径の円形孔を形成した第二段環状板と、前記第二段環状板上に設置され流路を形成する第三段内筒と、前記第二段環状板の前記円形孔を形成している内周縁から下方に向けて円筒状に起立させて前記円形孔を前記第三段内筒への流路として形成する第二段ピックオフリングと、前記第三段内筒を同心円状に間隔を空けて囲んで環状の第三段排出流路を形成する第三段外筒と、該第三段外筒の上側端面の内周縁を塞ぐと共に、前記第三段内筒よりも小径の円形孔を形成した第三段環状板と、該第三段環状板の前記円形孔を形成している内周縁から下方に向けて円筒状に起立させて前記円形孔を気水分離器出口流路として形成する第三段ピックオフリングと、気液二相流の流路の軸中心を通るハブ及び前記ハブを中心にして放射状に取り付ける複数の旋回羽根を含み、前記旋回羽根の径方向に内側縁が前記ハブに固定されており、前記ディフューザの内壁又は前記第一段内筒の内壁に前記旋回羽根の径方向に外側縁が固定されているスワラを備えた気水分離器において、
前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第三段外筒に前記第三段排出流路に流入した水を排出する第三段分離水排出口と蒸気を排出する第三段蒸気排出口を設け、前記第三段蒸気排出口が前記第三段分離水排出口よりも高い位置に配置され、しかも、前記第二段蒸気排出口及び前記第三段蒸気排出口の縁に沿って前記第二段排出流路及び前記第三段排出流路へ突出した突起物がそれぞれ設けられ、該突起物の先端が前記第二段蒸気排出口及び前記第三段蒸気排出口の流路を塞がない方向に折り曲げられて前記第二段外筒及び前記第三段外筒との間で溝状の流路である突起溝が形成されていることを特徴とする気水分離器。
【請求項３】
請求項２に記載の気水分離器において、
前記第三段分離水排出口は、前記第二段蒸気排出口の開口部と鉛直方向に重ならないように周方向に分けて配置されていることを特徴とする気水分離器。
【請求項４】
請求項２又は３に記載の気水分離器において、
前記第二段蒸気排出口及び前記第三段蒸気排出口の上端縁に沿った前記突起溝は、前記第二段蒸気排出口及び前記第三段蒸気排出口の中央部から両端に向かつて斜め下向きに延びる傾斜を持たせて配置されていることを特徴とする気水分離器。
【請求項５】
気液二相流を下方から上方に向かつて導くスタンドパイプと、該スタンドパイプの上側端面に連通して流路を形成し、前記上側端面の流路断面積よりも上方に向けて流路断面積を拡大するディフューザと、該ディフューザの上側端面に連通して流路を形成する第一段内筒と、該第一段内筒を同心円状に間隔を空けて囲んで環状の流路を形成する第一段外筒と、該第一段外筒の上側端面の内周縁を塞ぐと共に前記第一段内筒よりも小径の円形孔を形成した第一段環状板と、該第一段環状板の前記円形孔を形成している内周縁から下方に向けて円筒状に起立させて前記円形孔を第二段内筒への流路として形成する第一段ピックオフリングと、前記第一段環状板上に設置され流路を形成する前記第二段内筒と、該第二段内筒を同心円状に間隔を空けて囲んで環状の第二段排出流路を形成する第二段外筒と、該第二段外筒の上側端面の内周縁を塞ぐと共に前記第二段内筒よりも小径の円形孔を形成した第二段環状板と、前記第二段環状板上に設置され流路を形成する第三段内筒と、前記第二段環状板の前記円形孔を形成している内周縁から下方に向けて円筒状に起立させて前記円形孔を前記第三段内筒への流路として形成する第二段ピックオフリングと、前記第三段内筒を同心円状に間隔を空けて囲んで環状の第三段排出流路を形成する第三段外筒と、該第三段外筒の上側端面の内周縁を塞ぐと共に、前記第三段内筒よりも小径の円形孔を形成した第三段環状板と、該第三段環状板の前記円形孔を形成している内周縁から下方に向けて円筒状に起立させて前記円形孔を気水分離器出口流路として形成する第三段ピックオフリングと、気液二相流の流路の軸中心を通るハブ及び前記ハブを中心にして放射状に取り付ける複数の旋回羽根を含み、前記旋回羽根の径方向に内側縁が前記ハブに固定されており、前記ディフューザの内壁又は前記第一段内筒の内壁に前記旋回羽根の径方向に外側縁が固定されているスワラを備えた気水分離器において、
前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第三段外筒に蒸気を排出する第三段蒸気排出口を設け、該第三段蒸気排出口の下端は前記第二段環状板よりも上方に位置していると共に、前記第二段環状板に連通孔が設けられ、かつ、該連通孔から流下する分離水を前記第二段排出流路の下方に導く連通管を前記第二段排出流路内に設けたことを特徴とする気水分離器。
【請求項６】
請求項５に記載の気水分離器において、
前記連通管の下端は、前記第二段蒸気排出日の下端よりも下方に配置されていることを特徴とする気水分離器。
【請求項７】
請求項５又は６に記載の気水分離器において、
前記第二段蒸気排出口及び前記第三段蒸気排出口の縁に沿って前記第二段排出流路及び前記第三段排出流路へ突出した突起物がそれぞれ設けられ、該突起物の先端が前記第二段蒸気排出口及び前記第三段蒸気排出口の流路を塞がない方向に折り曲げられて前記第二段外筒及び前記第三段外筒との間で溝状の流路である突起溝が形成されていることを特徴とする気水分離器。
【請求項８】
請求項５乃至７のいずれかに記載の気水分離器において、
前記第二段蒸気排出口及び前記第三段蒸気排出口の上端縁に沿った前記突起溝は、前記第二段蒸気排出口及び前記第三段蒸気排出口の中央部から両端に向かつて斜め下向きに延びる傾斜を持たせて配置されていることを特徴とする気水分離器。
【請求項９】
原子炉圧力容器と、該原子炉圧力容器内に設けられ、複数の燃料集合体が装荷された炉心と、該炉心が配置されるシュラウドと、前記原子炉圧力容器内の前記炉心の上方に配置され、前記炉心で発生した蒸気と水の気水混合流を蒸気と水に分離する気水分離器と、該気水分離器の上方に位置し、該気水分離器で分離された湿り蒸気を乾燥させる蒸気乾燥器と、該蒸気乾燥器で乾燥された蒸気をタービンに供給する主蒸気配管と、前記原子炉圧力容器とシュラウド間に形成され、前記気水分離器で分離された水が循環するダウンカマと、該ダウンカマの下方に配置され、該ダウンカマ内の水を前記炉心に供給するインターナルポンプ又はジェットポンプとを備えた沸騰水型原子炉において、
前記気水分離器は、請求項２乃至８のいずれかに記載の気水分離器であることを特徴とする沸騰水型原子炉。
【発明の詳細な説明】
【技術分野】
【０００１】
本発明は気水分離器及びそれを備えた沸騰水型原子炉に係り、特に、水と炉心で発生した蒸気を分離するために、炉心上部に配置されているものに好適な気水分離器及びそれを備えた沸騰水型原子炉に関する。
【背景技術】
【０００２】
一般的な沸騰水型原子炉には、水と炉心で発生した蒸気を分離するために、炉心上部に気水分離器が設置されている。この気水分離器では、スワラ（旋回羽根）によって水-蒸気の気液二相流に旋回速度が与えられ、遠心力により気液密度差を利用して水と蒸気が分離される。
【０００３】
分離された水は、気水分離器の下方から排水されてダウンカマに戻り、再循環ポンプにより再び炉心へ送られる。一方、分離された蒸気は、蒸気乾燥器を通して更に湿分が取り除かれた後、タービンへ送られる。つまり、炉心で発生させた蒸気から極力湿分を取り除くことにより、発電効率を向上させている。
【０００４】
ところで、沸騰水型原子炉の大型化を抑制しながら電気出力を向上するためには、炉心のクオリティを大きくして蒸気発生量を増加させることが有効である。気水分離器に流入する二相流のクオリティが変わると、気水分離性能も変化する。一般的に、クオリティが大きくなり蒸気流量が増加すると、スワラによって二相流に与えられる旋回速度が大きくなり、遠心力が増加して気水分離性能は向上する。
【０００５】
改良型沸騰水型原子炉に用いられている三段式の気水分離器では、第一段では蒸気の混入がほとんどない分離水が、第二段及び第三段の気水分離器外筒に設けられた排出口からは、分離水と蒸気が排出される。蒸気流量が大きくなると、第二段及び第三段の排出口から排出される蒸気速度が増加し、分離された水を液滴として巻き込み、そのまま液滴を同伴して蒸気乾燥器へ流入する可能性がある。
【０００６】
また、気水分離器出口から分離されずに排出された液滴と上記の蒸気に同伴される液滴は、蒸気乾燥器で分離される。これらの蒸気乾燥器へ流入する液滴量は、蒸気との重量比（キャリーオーバー）として定義され、蒸気乾燥器の仕様により、キャリーオーバーに制限値が設けられている。
【０００７】
これらの第二段及び第三段の排出口から排出された蒸気に同伴される液滴を取り除く手段として、気水分離器間を覆う液滴捕獲リングを設置することが、特許文献１に記載されている。
【先行技術文献】
【特許文献】
【０００８】
【特許文献１】特開平８−１７９０７７号公報
【発明の概要】
【発明が解決しようとする課題】
【０００９】
しかしながら、上記の液滴捕獲リングを採用した特許文献１においては、気水分離器間を液滴捕獲リングで覆う必要があるため、物量が大きく増加してコストが増加する。また、気水分離器外部を上昇する蒸気に同伴された粒径の小さい液滴を液滴捕獲リングで捕捉しようとすると、液滴捕獲リングの密度が大きくなり蒸気の通気抵抗が大きくなることが懸念される。
【００１０】
本発明は上述の点に鑑みなされたもので、その目的とするところは、簡易な構造を用いて気水分離器外で蒸気に同伴される液適量を減少させると共に、蒸気の通気抵抗の増加を抑制しながら、クオリティの高い条件でのキャリーオーバーを低減することのできる気水分離器及びそれを備えた沸騰水型原子炉を提供することにある。
【課題を解決するための手段】
【００１１】
本発明の気水分離器は、上記目的を達成するために、気液二相流を下方から上方に向かって導くスタンドパイプと、該スタンドパイプの上側端面に連通して流路を形成し、前記上側端面の流路断面積よりも上方に向けて流路断面積を拡大するディフューザと、該ディフューザの上側端面に連通して流路を形成する第一段内筒と、該第一段内筒を同心円状に間隔を空けて囲んで環状の流路を形成する第一段外筒と、該第一段外筒の上側端面の内周縁を塞ぐと共に前記第一段内筒よりも小径の円形孔を形成した第一段環状板と、該第一段環状板の前記円形孔を形成している内周縁から下方に向けて円筒状に起立させて前記円形孔を第二段内筒への流路として形成する第一段ピックオフリングと、前記第一段環状板上に設置され流路を形成する前記第二段内筒と、該第二段内筒を同心円状に間隔を空けて囲んで環状の第二段排出流路を形成する第二段外筒と、該第二段外筒の上側端面の内周縁を塞ぐと共に前記第二段内筒よりも小径の円形孔を形成した第二段環状板と、前記第二段環状板上に設置され流路を形成する第三段内筒と、前記第二段環状板の前記円形孔を形成している内周縁から下方に向けて円筒状に起立させて前記円形孔を前記第三段内筒への流路として形成する第二段ピックオフリングとを少なくとも備え、気液二相流の流路の軸中心を通るハブ及び前記ハブを中心にして放射状に取り付ける複数の旋回羽根を含み、前記旋回羽根の径方向に内側縁が前記ハブに固定されており、前記ディフューザの内壁又は前記第一段内筒の内壁に前記旋回羽根の径方向に外側縁が固定されているスワラを備えた気水分離器において、前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第二段蒸気排出日の縁に沿って前記第二段排出流路へ突出した突起物が設けられ、該突起物の先端が前記第二段蒸気排出口の流路を塞がない方向に折り曲げられて前記第二段外筒との間で溝状の流路である突起溝が形成されていることを特徴とする。
また、本発明の気水分離器は、上記目的を達成するために、気液二相流を下方から上方に向かつて導くスタンドパイプと、該スタンドバイプの上側端面に連通して流路を形成し、前記上側端面の流路断面積よりも上方に向けて流路断面積を拡大するディフューザと、該ディフューザの上側端面に連通して流路を形成する第一段内筒と、該第一段内筒を同心円状に間隔を空けて囲んで環状の流路を形成する第一段外筒と、該第一段外筒の上側端面の内周縁を塞ぐと共に前記第一段内筒よりも小径の円形孔を形成した第一段環状板と、該第一段環状板の前記円形孔を形成している内周縁から下方に向けて円筒状に起立させて前記円形孔を第二段内筒への流路として形成する第一段ピックオフリングと、前記第一段環状板上に設置され流路を形成する前記第二段内筒と、該第二段内筒を同心円状に間隔を空けて囲んで環状の第二段排出流路を形成する第二段外筒と、該第二段外筒の上側端面の内周縁を塞ぐと共に前記第二段内筒よりも小径の円形孔を形成した第二段環状板と、前記第二段環状板上に設置され流路を形成する第三段内筒と、前記第二段環状板の前記円形孔を形成している内周縁から下方に向けて円筒状に起立させて前記円形孔を前記第三段内筒への流路として形成する第二段ピックオフリングと、前記第三段内筒を同心円状に間隔を空けて囲んで環状の第三段排出流路を形成する第三段外筒と、該第三段外筒の上側端面の内周縁を塞ぐと共に、前記第三段内筒よりも小径の円形孔を形成した第三段環状板と、該第三段環状板の前記円形孔を形成している内周縁から下方に向けて円筒状に起立させて前記円形孔を気水分離器出口流路として形成する第三段ピックオフリングと、気液二相流の流路の軸中心を通るハブ及び前記ハブを中心にして放射状に取り付ける複数の旋回羽根を含み、前記旋回羽根の径方向に内側縁が前記ハブに固定されており、前記ディフューザの内壁又は前記第一段内筒の内壁に前記旋回羽根の径方向に外側縁が固定されているスワラを備えた気水分離器において、前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第三段外筒に前記第三段排出流路に流入した水を排出する第三段分離水排出口と蒸気を排出する第三段蒸気排出口を設け、前記第三段蒸気排出口が前記第三段分離水排出口よりも高い位置に配置され、しかも、前記第二段蒸気排出口及び前記第三段蒸気排出口の縁に沿って前記第二段排出流路及び前記第三段排出流路へ突出した突起物がそれぞれ設けられ、該突起物の先端が前記第二段蒸気排出口及び前記第三段蒸気排出口の流路を塞がない方向に折り曲げられて前記第二段外筒及び前記第三段外筒との間で溝状の流路である突起溝が形成されているか、
或いは、前記第二段外筒に前記第二段排出流路に流入した水を排出する第二段分離水排出口と蒸気を排出する第二段蒸気排出口を設けると共に、前記第二段蒸気排出口が前記第二段分離水排出口よりも高い位置に配置され、かつ、前記第三段外筒に蒸気を排出する第三段蒸気排出口を設け、該第三段蒸気排出口の下端は前記第二段環状板よりも上方に位置していると共に、前記第二段環状板に連通孔が設けられ、かつ、該連通孔から流下する分離水を前記第二段排出流路の下方に導く連通管を前記第二段排出流路内に設けたことを特徴とする。
【００１２】
また、本発明の沸騰水型原子炉は、上記目的を達成するために、原子炉圧力容器と、該原子炉圧力容器内に設けられ、複数の燃料集合体が装荷された炉心と、該炉心が配置されるシュラウドと、前記原子炉圧力容器内の前記炉心の上方に配置され、前記炉心で発生した蒸気と水の気水混合流を蒸気と水に分離する気水分離器と、該気水分離器の上方に位置し、該気水分離器で分離された湿り蒸気を乾燥させる蒸気乾燥器と、該蒸気乾燥器で乾燥された蒸気をタービンに供給する主蒸気配管と、前記原子炉圧力容器とシュラウド間に形成され、前記気水分離器で分離された水が循環するダウンカマと、該ダウンカマの下方に配置され、該ダウンカマ内の水を前記炉心に供給するインターナルポンプ又はジェットポンプとを備えた沸騰水型原子炉において、前記気水分離器は、上記した構成の気水分離器であることを特徴とする。
【発明の効果】
【００１３】
本発明によれば、簡易な構造を用いて気水分離器外で蒸気に同伴される液適量を減少させると共に、蒸気の通気抵抗の増加を抑制しながら、クオリティの高い条件でのキャリーオーバーを低減することのできるため、低コストで気水分離性能の低下を抑制して沸騰水型原子炉の出力を増加させることができる。
【図面の簡単な説明】
【００１４】
【図１】本発明の気水分離器が適用される沸騰水型原子炉の概略構造を示す縦断面図である。
【図２】従来の気水分離器を示す縦断面図である。
【図３】従来の気水分離器におけるクオリティとキャリーオーバーの関係の一例を示す特性図である。
【図４】本発明の気水分離器の実施例１を示す縦断面図である。
【図５】実施例１における気水分離器の第二段排出流路出口付近を示す拡大断面図である。
【図６】本発明の気水分離器の実施例１を示す正面図である。
【図７】本発明の気水分離器の実施例２を示す正面図である。
【図８】実施例２における第二段蒸気排出口及び第三段分離水排出口における蒸気の鉛直上向きの速度分布を示す図である。
【図９】本発明の気水分離器の実施例３を示す正面図である。
【図１０】本発明の気水分離器の実施例４を示す正面図である。
【図１１】実施例４における第二段排出流路内を第二段内筒側から透過した斜視図である。
【発明を実施するための形態】
【００１５】
以下、図示した実施例に基づいて本発明の気水分離器、特に、沸騰水型原子炉に適用される気水分離器について説明する。
【実施例１】
【００１６】
先ず、本実施例の気水分離器を説明する前に、この気水分離器が適用される沸騰水型原子炉の概略構造について、図１を用いて説明する。
【００１７】
図１は、改良型沸騰水型原子炉（以下、ＡＢＷＲという）を示すものである。
【００１８】
該図に示す如く、ＡＢＷＲは、原子炉圧力容器３を有し、この原子炉圧力容器３の内部に炉心シュラウド２が設置され、複数の燃料集合体（図示せず）が装荷された炉心５が炉心シュラウド２内に配置されている。また、原子炉圧力容器３内の炉心５の上方には、炉心５で発生した蒸気と水の気水混合流を蒸気と水に分離する気水分離器６が配置され、この気水分離器６の上方には、気水分離器６で分離された湿り蒸気を乾燥させる蒸気乾燥器７が配置されている。更に、原子炉圧力容器３と炉心シュラウド２の間に形成される環状のダウンカマ４の下方には、炉心５に水を供給するためのインターナルポンプ１０（再循環ポンプ）が配置されており、このインターナルポンプ１０を運転することにより、ダウンカマ４にある冷却水が炉心５へ供給される。
【００１９】
一方、炉心５では、核分裂により発生した熱で冷却水が沸騰し、蒸気と水の二相流状態となる。炉心５で発生した気液二相流は気水分離器６に流入し、気水分離器６内にあるスワラにより旋回速度が与えられ、この旋回速度により二相流に遠心力が作用し、水と蒸気の密度差により水と蒸気が分離される。気水分離器６を通過した二相流は、蒸気乾燥器７に流入し更に湿分が取り除かれる。
【００２０】
このようにして、湿分０.１重量パーセント以下に抑えた蒸気を、主蒸気配管８を通してタービン（図示せず）に送り発電を行っている。
【００２１】
図２を用いて気水分離器６の構成について詳しく説明する。
【００２２】
図２に示す如く、気水分離器６は、気液二相流を下方から上方に向かって導くスタンドパイプ６１と、スタンドパイプ６１の上側端面に連通して流路を形成し、前記上側端面の流路断面積よりも上方に向けて流路断面積を拡大するディフューザ６２と、ディフューザ６２の上側端面に連通して流路を形成する第一段内筒６４と、第一段内筒６４を同心円状に間隔を空けて囲んで環状の流路５０を形成する第一段外筒６６と、第一段外筒６６の上側端面の内周縁を塞ぐと共に、第一段内筒６４よりも小径の円形孔を形成した第一段環状板６７と、第一段環状板６７の前記円形孔を形成している内周縁から下方に向けて円筒状に起立させて円形孔を第二段内筒６８への流路として形成する第一段ピックオフリング６５と、第一段環状板６７上に設置され流路を形成する前記第二段内筒６８と、第二段内筒６８を同心円状に間隔を空けて囲んで環状の第二段排出流路５１を形成する第二段外筒７０と、第二段外筒７０の上側端面の内周縁を塞ぐと共に前記第二段内筒６８よりも小径の円形孔を形成した第二段環状板７１と、第二段環状板７１の前記円形孔を形成している内周縁から下方に向けて円筒状に起立させて前記円形孔を第三段内筒７２への流路として形成する第二段ピックオフリング６９と、第二段環状板７１上に設置され流路を形成する前記第三段内筒７２と、第三段内筒７２を同心円状に間隔を空けて囲んで環状の第三段排出流路５２を形成する第三段外筒７４と、第三段外筒７４の上側端面の内周縁を塞ぐと共に、前記第三段内筒７２よりも小径の円形孔を形成した第三段環状板７５と、第三段環状板７５の前記円形孔を形成している内周縁から下方に向けて円筒状に起立させて前記円形孔を気水分離器出口流路として形成する第三段ピックオフリング７３と、気液二相流の流路の軸中心を通るハブ１０１及びハブ１０１を中心にして放射状に取り付ける複数の旋回羽根１０２を含み、旋回羽根１０２の径方向に内側縁がハブ１０１に固定されており、ディフューザ６２の内壁又は第一段内筒６４の内壁に旋回羽根１０２の径方向に外側縁が固定されているスワラ６３とで構成されている。
【００２３】
スワラ６３は、ハブ１０１と呼ばれる円柱状の構造物に二相流に旋回速度を与えるための旋回羽根１０２が複数取り付けられており、旋回羽根１０２の外側縁は、ディフューザ６２に固定されている。このため、スワラ６３自身は回転することなく、スワラ６３を通過した流体が回転するようになっている。
【００２４】
旋回羽根１０２は、スワラ６３の入口では鉛直方向と平行になっており、スワラ６３の出口に向かって鉛直方向に対する角度を増していく。即ち、スワラ６３の入口では鉛直方向と平行になっているが、そこからスワラ６３の出口に向かって鉛直方向に対する角度を増しながら旋回できる形状になっている。旋回羽根１０２は、スワラ出口の旋回羽根１０２の鉛直方向に対する角度をスワラ出口角度と呼び、このスワラ出口角度が大きいほど、流体の大きな旋回速度を与えることができる。
【００２５】
炉心５からの気液二相流はクオリティが約１４％であり、スタンドパイプ６１に流入した二相流は、スタンドパイプ６１の内壁面に液膜を形成し、中心部を蒸気が流れ、その蒸気中に液滴が浮遊している環状噴霧流になっている。スワラ６３により気液二相流に旋回速度を与えると、気液密度差による遠心力の違いにより、壁面の液膜内に混在していた蒸気が中心部の蒸気側へ移動すると共に、蒸気中に浮遊していた液滴が壁面へ移動し液膜に取り込まれる。第一段内筒６４の壁面に形成された液膜は、第一段ピックオフリング６５により、第一段内筒６４と第一段外筒６６で形成された第一段排出流路５０を通って気水分離器６の外に排出される。第一段排出流路５０から排出された水は、再びダウンカマ４に流入しインターナルポンプ１０により炉心５へ送られる。
【００２６】
一方、第一段内筒６４で壁面に到達しなかった蒸気中の液滴は、第二段内筒６８又は第三段内筒７２で壁面に到達し、第二段ピックオフリング６９又は第三段ピックオフリング７３から第二段排出流路５１又は第三段排出流路５２を通って気水分離器６の外へ排出される。第三段ピックオフリング７３を通過するまでに内筒壁面に到達しなかった液滴は、そのまま蒸気と共に気水分離器出口５５から流出する。
【００２７】
気水分離器６の性能指標の一つにキャリーオーバーがあり、気水分離器６から流出した流体中に含まれる液の重量率として定義される。
【００２８】
蒸気質量流量をＷｇ（ｋｇ/ｓ）、液質量流量をＷｌ（ｋｇ/ｓ）とすると、キャリーオーバーＣＯは、次式で表される。
【００２９】
ＣＯ＝Ｗｌ／（Ｗｇ＋Ｗｌ）×１００（％）    （１）
沸騰水型原子炉では、蒸気乾燥器７の性能を保証するため、気水分離器６のキャリーオーバーを制限している。
【００３０】
第二段排出流路５１及び第三段排出流路５２には蒸気と分離水が流入し、第二段排出流路出口１０３及び第三段排出流路出口１０４から排出される。蒸気流量が少ない（クオリティが小さい）ときは、気水分離器６外部の蒸気の流速が小さいため、気水分離器６外に排出された分離水は、重力により落下し炉水５に戻される。このため、キャリーオーバーのほとんどは、分離されずにセパレータ出口から流出した液滴である。
【００３１】
蒸気流量が多い（クオリティが大きい）ときは、気水分離器６外部の蒸気流速が大きくなり、蒸気と液滴間の抗力が液滴にかかる重力に打ち勝つようになり、液滴が蒸気に同伴されて蒸気乾燥器７に流入するようになる。
【００３２】
図３にクオリティとキャリーオーバーの関係の一例を示す。該図に示す如く、クオリティが大きくなるとキャリーオーバーが増加するのは、この原理によるものである。
【００３３】
そして、本発明の実施例１では、図４乃至図６に示すように、第二段排出口を、それぞれ第二段蒸気排出口９３と第二段分離水排出口９１に分け、この第二段蒸気排出口９３を第二段分離水排出口９１よりも上方に配置したものである。このとき、第二段分離水排出口９１の断面積は、第二段蒸気排出口９３の断面積よりも小さくしている。
【００３４】
また、第二段蒸気排出口９３には、この第二段蒸気排出口９３の縁に沿って第二段排出流路５１側に突出した突起物が設けられ、該突起物の先端が第二段蒸気排出口９３の流路を塞がない方向に折り曲げられて第二段外筒７０との間で溝状の流路であるラッパ管状の第二段突起溝８１が設けられている。即ち、第二段突起溝８１は、後述する液膜２５が勢いよく流下し、第二段排出流路５１の底部で第二段外筒７０側に巻き上がった際に、第二段蒸気排出口９３に巻き上がった液膜が流入しないように突出していること、及び第二段外筒７０側を流下した液膜が第二段突起溝８１に衝突し、該第二段突起溝８１に沿って流れて第二段排出流路５１の底部に到達するのを案内する溝であれば良い。
【００３５】
次に、このように構成した実施例１における作用について説明する。
【００３６】
第一段内筒６４で分離されなかった液滴は、第二段内筒６８に流入する。遠心力によって第二段内筒６８壁に到達した液滴は、第二段内筒６８壁面上に液膜２３を形成し、第二段ピックオフリング６９によって第二段排出流路５１へ誘導される。誘導された液膜２３は、そのまま第二段内筒６８壁に沿って第二段排出流路５１内の第二段内筒６８壁側を流下する液膜２５となる。また、一部の液膜２３は慣性により第二段内筒６８壁を離脱し、第二段環状板７１に衝突して、そのまま第二段排水流路５１内の第二段外筒７０壁側を流下する液膜２６となる。
【００３７】
第二段内筒６８壁側を流下した液膜２５は、そのまま第二段排水流路５１の底部へ到達し、第二段分離水排出口９１から分離水２１が気水分離器６外へ排出され、炉水５に戻される。液膜２５が勢いよく流下し、第二段排水流路５１の底部で第二段外筒７０側へ巻き上がった場合でも、第二段蒸気排出口９３に設けた第二段突起溝８１に遮断されるため、第二段内筒６８壁側を流下した液膜２５が第二段蒸気排出口９３から直接流出することはない。
【００３８】
第二段外筒７０側を流下した液膜２６は、第二段蒸気排出口９３に設けた第二段突起溝８１に衝突し、第二段突起溝８１に沿って流れて第二段排水流路５１の底部に到達し、第二段分離水排出口９１から気水分離器６外へ排出され炉水５に戻される。このため、第二段外筒７０側を流下した液膜２６も第二段蒸気排出口９３から直接流出することはない。
【００３９】
従って、第二段排出流路５１に流入した蒸気と水が分離されて各排出口から流出し、更に、第二段蒸気排出口９３を第二段分離水排出口９１よりも上方に配置しているので、第二段分離水排出口９１から排出された分離水２１が、第二段蒸気排出口９３から排出された蒸気３１と接することがないため、分離水２１が蒸気３１の流れに捕獲されることがない。蒸気流速が大きい場合でも、蒸気に同伴されて蒸気乾燥器７まで運ばれる液滴量を格段に低減できるため、高クオリティ条件でもキャリーオーバーを大幅に低下させることができる。
【００４０】
液流量が少ない場合は、第二段分離水排出口９１からも蒸気が流出する。第二段分離水排出口９１の断面積は、第二段蒸気排出口９３の断面積よりも小さく、更に、液の流出面積分、蒸気の流路面積が小さくなるため、蒸気に対する流動抵抗が大きくなっている。このため、蒸気は第二段蒸気排出口９３のほうにより多く流れ、第二段分離水排出口９１を流出する蒸気量は少ない。
【００４１】
従って、第二段分離水排出口９１を流れる蒸気が存在しても、その流量は少ないため、蒸気に随伴されて蒸気乾燥器７へ流れていく液滴はほとんど発生しない。
【００４２】
また、実施例１では、第三段排出流路５２にも前述した第二段排出流路５１と同様な構造を用いている。即ち、第三段排出口を、第三段蒸気排出口９４と第三段分離水排出口９２に分け、第三段蒸気排出口９４を第三段分離水排出口９２よりも上方に配置し、第三段蒸気排出口９４の第三段排出流路５２側に、第三段蒸気排出口９４の縁に沿って、上述した第二段突起溝８１と同様な構成のラッパ管状の第三段突起溝８２を設け、そして、第三段分離水排出口９２の断面積は、第三段蒸気排出口９４の断面積よりも小さくしている。
【００４３】
このように、第三段排出流路５２を第二段排出流路５１と同様な機構とすることで、蒸気３２は第三段蒸気排出口９４から、分離水２２は第三段分離水排出口９２からそれぞれ排出することができる。
【００４４】
従来の第三段排出口１０４では、同じ第三段排出口１０４から蒸気と分離水が排出され、分離水は第三段から排出される蒸気３２に第二段から排出された蒸気３３が合流したより流速の大きい蒸気３４の流れに巻き込まれるため、蒸気流に随伴されて蒸気乾燥器まで流れていく可能性が高くなる。
【００４５】
しかし、上述した実施例１では、第三段分離水排出口９２から排出された分離水２２は、第二段蒸気排出口９３から排出された蒸気３３のみにさらされるため、蒸気流に随伴する分離水が少なくなり、キャリーオーバーが低下する。
【００４６】
以上のように、実施例１によれば、簡易な構造を用いて気水分離器外で蒸気に同伴される液適量を減少させることができると共に、蒸気の通気抵抗の増加を抑制しながら、クオリティの高い条件でのキャリーオーバーを低減することのできるため、低コストで気水分離性能の低下を抑制して沸騰水型原子炉の出力を増加させることができる。
【実施例２】
【００４７】
本発明の気水分離器の実施例２について、図７を用いて説明する。
【００４８】
図７に示す如く、実施例２の気水分離器６は、第二段蒸気排出口９３と第二段分離水排出口９２の開口部が鉛直方向に重ならないように、第二段分離水排出口９２を周方向に２つに分け、第二段蒸気排出口９３と鉛直方向に重ならないように第二段分離水排出口９２ａ及び９２ｂを配置したものである。また、第二段分離水排出口も周方向に２つに分けられて第二段分離水排出口９１ａ、９１ｂが配置されている。
【００４９】
前述したように、図６に示した実施例１の構成では、第三段分離水排出口９２から排出された分離水２２は、第二段蒸気排出口９３から排出された蒸気３１の流速が大きいと随伴されて蒸気乾燥器７まで運ばれる可能性がある。一方、第二段蒸気排出口９３から排出された蒸気３１は、上方に流れるときに排出口形状により周方向に分布が生じる。
【００５０】
即ち、図８に示すように、第二段蒸気排出口９３直後では、第二段蒸気排出口９３の左右の縁で速度０、中央でピークとなる速度分布をもつ。第二段蒸気排出口９３を出た後は、速度分布が第二段蒸気排出口９３の幅よりも拡がるが、蒸気が第三段分離水排出口９２ａ、９２ｂの高さに到達したときも分布は残っており、周方向に第二段蒸気排出口９３の開口部から最も離れている位置において蒸気流速が最も小さくなっている。
【００５１】
従って、周方向のこの位置に第三段分離水排出口９２ａ、９２ｂを配置すると、第二段蒸気排出口９３から排出された蒸気３１に分離水２２ａ、２２ｂが随伴される割合が最も小さくなり、キャリーオーバーをさらに低下させることができる。
【００５２】
このような実施例２によれば、上述した実施例１と同様な効果が得られることは勿論、キャリーオーバーをさらに低下させることができるので、更なる効果が期待できる。
【実施例３】
【００５３】
本発明の気水分離器の実施例３について、図９を用いて説明する。
【００５４】
図９に示す如く、実施例３の気水分離器６は、上述した実施例２の構成に加え、第二段蒸気排出口９３及び第三段蒸気排出口９４上方の第二段排出流路５１及び第三段排出流路５２側に、第二段蒸気排出口９３及び第三段蒸気排出口９４の中央から左右両端に向かって斜め下方（下向き）に延びるラッパ管状の第二段突起溝８１及び第三段突起溝８２を設けたものである。
【００５５】
通常、第二段出流路５１及び第三段排出流路５２に流入した水のうち、第二段外筒７０壁及び第三段外筒７４側を流下した水は、第二段突起溝８１及び第三段突起溝８２に衝突するため、第二段蒸気排出口９３及び第三段蒸気排出口９４から直接外部へ排出されることはない。
【００５６】
ところが、第二段突起溝８１及び第三段突起溝８２に衝突した水が、第二段蒸気排出口９３及び第三段蒸気排出口９４脇へスムーズに流れない場合には、第二段突起溝８１及び第三段突起溝８２の水がオーバーフローして該突起溝を乗り越え、第二段蒸気排出口９３及び第三段蒸気排出口９４から蒸気と一緒に排出される可能性がある。
【００５７】
そこで、実施例３では、第二段排出流路５１及び第三段排出流路５２側を流下した水を、第二段蒸気排出口９３及び第三段蒸気排出口９４の脇へスムーズに流すために、第二段蒸気排出口９３及び第三段蒸気排出口９４の中央から左右両端方向に斜め下方に延びる第二段突起溝８１及び第三段突起溝８２を設けたものである。
【００５８】
このような実施例３の構成によれば、第二段外筒７０及び第三段外筒７４側を流下した水は、第二段突起溝８１及び第三段突起溝８２に衝突した後、該第二段突起溝８１及び第三段突起溝８２に沿って第二段蒸気排出口９３及び第三段蒸気排出口９４の脇にスムーズに流れ、第二段排出流路５１及び第三段排出流路５２の底面に到達し、第二段分離水排出口９１ａ、９１ｂ及び第三段分離水排出口９２ａ、９２ｂから外部へ排出される。
【００５９】
従って、実施例３では、第二段突起溝８１及び第三段突起溝８２からのオーバーフローがなくなるので、キャリーオーバーを確実に低下させることができる。
【００６０】
よって、上述した実施例１と同様な効果が得られることは勿論、キャリーオーバーをさらに低下させることができるので、更なる効果が期待できる。
【００６１】
なお、第二段蒸気排出口９３及び第三段蒸気排出口９４の上縁を上に凸形状にして、その上縁に沿って第二段排出流路５１及び第三段排出流路５２側に第二段突起溝８１及び第三段突起溝８２を設けてもよい。また、円管から第二段外筒７０及び第三段外筒７４を製作する場合には、第二段蒸気排出口９３及び第三段蒸気排出口９４を形成した後、縁を第二段出流路５１及び第三段排出流路５２側に折り曲げることにより第二段突起溝８１及び第三段突起溝８２が形成できるため、新たに突起溝を溶接等により取り付ける必要がなくなる効果がある。
【実施例４】
【００６２】
本発明の気水分離器の実施例４について、図１０及び図１１を用いて説明する。
【００６３】
図１０及び図１１に示す如く、実施例４の気水分離器６は、実施例３の構成に加え、第三段分離水排出口９２がなく、第二段環状板７１に連通穴９８ａ、９８ｂを設け、その連通穴９８ａ、９８ｂから第二段分離水排出口９１ａ、９１ｂの近傍まで延びる連通管９９ａ、９９ｂを設けたものである。このとき、第三段蒸気排出口９４の下端は、第二段環状板７１よりも上方に配置されている。
【００６４】
このような実施例４の構成によれば、第三段排出流路５２で底部に流下した水は、連通穴９８ａ、９８ｂから連通管９９ａ、９９ｂを通って第二段排出流路５１の底部へ導かれる。連通管９９ａ、９９ｂで第二段排出流路５１の底部に導かれた分離水は、第二段ピックオフリング６５から第二段排出流路５１に流入した分離水と合流して第二段分離水排出口９１ａ、９１ｂから外部へ排出される。
【００６５】
このように第三段排出流路５２に流入した分離水を、第二段分離水排出口９１ａ、９１ｂから排出することには次のメリットがある。
【００６６】
即ち、実施例３のように、第三段分離水排出口９２ａ、９２ｂから分離水２２を排出させると、分離水２２が第二段蒸気排出口９３から排出され上昇する蒸気３１にさらされるため、蒸気流速が大きい場合には、分離水２２の一部が蒸気３１に随伴して蒸気乾燥器７へと流れていくことが懸念される。
【００６７】
これに対して、実施例４では、分離水が蒸気に晒されない第二段分離水排出口９１ａ、９１ｂから分離水をまとめて排出することができるため、蒸気に随伴されて蒸気乾燥器７へ流れていく分離水を大幅に低減することができる。
【００６８】
このような実施例４のような構成としても、上述した実施例と同様な効果を得ることができる。
【００６９】
なお、連通管９９ａ、９９ｂの出口は、第二段蒸気排出口９３の下端よりも低い位置にあったほうがよい。即ち、連通管９９ａ、９９ｂの出口が、第二段蒸気排出口９３の下端よりも高い位置にあると、連通管９９ａ、９９ｂの出口から流出する分離水が蒸気に随伴され、第二段蒸気排出口９３から流出して、そのまま蒸気乾燥器まで流れていく可能性がある。
【００７０】
そこで、連通管９９ａ、９９ｂの出口を第二段蒸気排出口９３よりも低い位置にすれば、連通管９９ａ、９９ｂ内を流下した分離水が気水分離器外の蒸気流れに晒されることがなく、そのまま第二段排出流路５１の底部に落下するので、分離水を蒸気流れに晒すことなく確実に第二段分離水排出口９１ａ、９１ｂから排出することができる。
【符号の説明】
【００７１】
２…炉心シュラウド、３…原子炉圧力容器、４…ダウンカマ、５…炉心、６…気水分離器、７…蒸気乾燥器、８…主蒸気配管、１０…インターナルポンプ、２１…第二段分離水排出口から排出される分離水、２２…第三段分離水排出口から排出される分離水、２３…第二段内筒内側に形成された液膜、２４…第三段内筒内側に形成された液膜、２５…第二段内筒排出流路側に形成された液膜、２６…第二段外筒内側に形成された液膜、２７…第三段内筒排出流路側に形成された液膜、２８…第三段外筒内側に形成された液膜、３１…第二段蒸気排出口から排出される蒸気、３２…第三段蒸気排出口から排出される蒸気、３３…第二段外筒外側を上昇する蒸気、３４…第三段外筒外側を上昇する蒸気、５０…第一段排出流路、５１…第二段排出流路、５２…第三段排出流路、５５…気水分離器出口、６１…スタンドパイプ、６２…ディフューザ、６３…スワラ、６４…第一段内筒、６５…第一段ピックオフリング、６６…第一段外筒、６７…第一段環状板、６８…第二段内筒、６９…第二段ピックオフリング、７０…第二段外筒、７１…第二段環状板、７２…第三段内筒、７３…第三段ピックオフリング、７４…第三段外筒、７５…第三段環状板、８１…第二段突起溝、８２…第三段突起溝、９１、９１a、９１ｂ…第二段分離水排出口、９２、９２a、９２ｂ…第三段分離水排出口、９３…第二段蒸気排出口、９４…第三段蒸気排出口、９８a、９８ｂ…連通穴、９９a、９９ｂ…連通管、１０１…ハブ、１０２…旋回羽根、１０３…第二段排出流路出口、１０４…第三段排出流路出口。
【図１】
0005562908.tif 000002
【図２】
0005562908.tif 000003
【図３】
0005562908.tif 000004
【図４】
0005562908.tif 000005
【図５】
0005562908.tif 000006
【図６】
0005562908.tif 000007
【図７】
0005562908.tif 000008
【図８】
0005562908.tif 000009
【図９】
0005562908.tif 000010
【図１０】
0005562908.tif 000011
【図１１】
0005562908.tif 000012